(57)【要約】  【課題】  十分な取付け強度が発揮され、且つガタ付きも少ないシリンダーの取付け構造を提供する。  【解決手段】  シリンダー３は、その後端部が取付け板部材７の平面部２５の貫通孔５０に挿通されている。そしてシリンダー３の突起２１，２３の間の溝３０及び突起２３，２４の間の溝３１に貫通孔５０の開口縁が係合している。取付け板部材７のピン支持部３７，３８の外側からピン８が挿通され、当該ピン８は、ピン支持部３７，３８の貫通孔４０，４１，４２，４３と、シリンダー３の突起２１，２３に形成された貫通孔３５，３６に挿通されている。【選択図】  図２
2006291486.tif 000002
【特許請求の範囲】
【請求項１】
化粧座部材を有する門扉錠本体とシリンダーとの取付け構造であって、取付け板部材と取付けピンを備え、前記シリンダーは、略円柱状の本体部を有し、本体部の後端部に本体部の軸線と立体的に直交する２以上の平行な貫通孔が設けられ、前記取付け板部材は、平面部と、平面部に対して直立する二列又は二組のピン支持部を有し、前記平面部であって二列又は二組のピン支持部に挟まれた位置には開口が設けられ、ピン支持部にはそれぞれ２以上の貫通孔が設けられ、前記シリンダーは、その後端部が平面部の開口に挿入され、シリンダーの前記貫通孔と、二列又は二組のピン支持部に設けられた貫通孔にピンが挿通され、ピンの一部が化粧座部材の一部と当接してピンの抜け止めがなされていることを特徴とする門扉錠本体とシリンダーとの取付け構造。
【請求項２】
シリンダーの後端部には突起が設けられ、取付け板部材の平面部に設けられた開口には、前記突起が通過可能な切り欠き部が設けられ、当該切り欠き部の位置は、シリンダーの貫通孔にピンが挿通された状態の時の突起の位置とは異なる位置であることを特徴とする請求項１に記載の門扉錠本体とシリンダーとの取付け構造。
【発明の詳細な説明】
【技術分野】
【０００１】
本発明は、門扉錠の錠本体とシリンダーとの取付け構造に関するものである。
【背景技術】
【０００２】
いわゆる一戸建て住宅には、門を有するものが多い。またシリンダーが内蔵され、鍵によって施開錠される門扉錠が特許文献１に開示されている。
【特許文献１】特開２００４−２６３３７３号公報
【０００３】
門扉錠における錠本体とシリンダーの取付け構造には、例えばネジによるものが知られている。
即ちシリンダーの一部に雌ネジを設け、錠本体側の取付け部材等からボルトやビスを挿通し、ボルトやビスの雄ネジ部分をシリンダーの雌ネジに係合させてシリンダーを錠本体に取り付ける。
あるいはシリンダーの一部にフランジを設け、錠本体側の部材でフランジを挟み込む構造も実用化されている。
【発明の開示】
【発明が解決しようとする課題】
【０００４】
しかしながら、前者のネジによるシリンダーの取付け構造は、シリンダーの本体部分に雌ネジを設けるものであるため、大径のネジによる取り付けができず、取付け強度に不安があった。そのため従来技術の取付け構造は、防犯上、不安があった。
一方、フランジを挟み込む構造は、ガタ付きが生じ易いという問題があった。そのため使用者に防犯上の不安を与えるものであった。
そこで本発明は、従来技術の上記した問題点に注目し、十分な取付け強度が発揮され、且つガタ付きも少ないシリンダーの取付け構造を提供するものである。
【課題を解決するための手段】
【０００５】
そして上記した課題を解決するための請求項１に記載の発明は、化粧座部材を有する門扉錠本体とシリンダーとの取付け構造であって、取付け板部材と取付けピンを備え、前記シリンダーは、略円柱状の本体部を有し、本体部の後端部に本体部の軸線と立体的に直交する２以上の平行な貫通孔が設けられ、前記取付け板部材は、平面部と、平面部に対して直立する二列又は二組のピン支持部を有し、前記平面部であって二列又は二組のピン支持部に挟まれた位置には開口が設けられ、ピン支持部にはそれぞれ２以上の貫通孔が設けられ、前記シリンダーは、その後端部が平面部の開口に挿入され、シリンダーの前記貫通孔と、二列又は二組のピン支持部に設けられた貫通孔にピンが挿通され、ピンの一部が化粧座部材の一部と当接してピンの抜け止めがなされていることを特徴とする門扉錠本体とシリンダーとの取付け構造である。
【０００６】
本発明の門扉錠本体とシリンダーとの取付け構造では、シリンダーに設けられた二つの貫通孔にピンが挿通され、さらにシリンダーの後端部が平面部に設けられた開口に挿通されている。そのためシリンダーは、二つの貫通孔とシリンダーの後端部という３箇所で固定され、安定する。またピンの一部が化粧座部材の一部と当接してピンの抜け止めがなされているので、ピンが脱落してシリンダーが外れるといった懸念はない。
【０００７】
また請求項２に記載の発明は、シリンダーの後端部には突起が設けられ、取付け板部材の平面部に設けられた開口には、前記突起が通過可能な切り欠き部が設けられ、当該切り欠き部の位置は、シリンダーの貫通孔にピンが挿通された状態の時の突起の位置とは異なる位置であることを特徴とする請求項１に記載の門扉錠本体とシリンダーとの取付け構造である。
【０００８】
本発明の門扉錠本体とシリンダーとの取付け構造では、シリンダーの後端部に突起が設けられ、取付け板部材の平面部に設けられた開口には、前記突起が通過可能な切り欠き部が設けられている。従ってシリンダーの突起を切り欠き部に合わせることにより、突起部分を通過させることができる。
一方、切り欠き部の位置は、シリンダーの貫通孔にピンが挿通された状態の時の突起の位置とは異なる位置であるから、シリンダーの貫通孔にピンが挿通された状態では、突起は切り欠き部を通過することができない。そのため本発明の門扉錠本体とシリンダーとの取付け構造では、シリンダーの突起が抜け防止として機能し、シリンダーをより一層強固に取り付けることができる。
【発明の効果】
【０００９】
本発明の門扉錠本体とシリンダーとの取付け構造は、簡単な構造でありながら、強固にシリンダーを固定することができ、防犯性能が高い。
【発明を実施するための最良の形態】
【００１０】
以下さらに本発明の実施形態について説明する。
図１は、本発明の門扉錠本体とシリンダーとの取付け構造を採用した門扉錠の斜視図である。図２は、図１の門扉錠の外側化粧座部材と、取付け板部材と、シリンダー及びピンの位置関係を示す分解斜視図である。図３は、図１の門扉錠の取付け板部材と、シリンダー及びピンの組み合わせ部位における側面断面図である。図４は、図１の門扉錠の外側化粧座部材と、取付け板部材と、シリンダー及びピンの組み合わせ部位における正面断面図である。
【００１１】
本実施形態の門扉錠１は、錠本体２とシリンダー３によって構成されている。
また錠本体２は、内側化粧座部材４と、外側化粧座部材５と、錠ケース６と、取付け板部材７とを有している。
錠本体２の機能は、公知のそれと同様であり、ハンドル１０，１１を操作することによって、錠ケース６から図示しないラッチが出没するものである。また図示しない鍵によってシリンダー３を回転すると、錠ケース６から図示しないデッドボルトが出没する。
【００１２】
本実施形態では、シリンダー３は、図２の様に外側化粧座部材５に取付け板部材７を介して取り付けられている。またシリンダー３の取付けにはピン８が使用されている。
ここで本実施形態で採用するシリンダー３は、図２の様に円柱形の本体部２０を有し、その後端部に突起が４個設けられている。４個の突起２１，２２，２３，２４は、二組に別れて配置され、一方の組の突起２１，２２と他方の組の突起２３，２４は、本体部２０の中心軸を挟んで反対側の位置にある。即ち一方の組の突起２１，２２と他方の組の突起２３，２４は、１８０度離れた位置に設けられている。
また各組の突起同士の間には溝３０，３１が設けられている。
【００１３】
そして各組の突起の内、前方側（鍵孔側）の突起２１，２３には、貫通孔３５，３６が設けられている。
貫通孔３５，３６はある程度の長さを持ち、その方向は、図２の様にシリンダー３の軸線に対して立体的に直交する方向である。即ちシリンダー３の軸線（中心軸線）と貫通孔３５，３６の軸線は交わらないが、平面的に両者を透視すると両者は直交している。また貫通孔３５，３６同士は、同一平面上にあって、互いに平行である。
【００１４】
取付け板部材７は、鋼板をプレスした後、曲げ加工して作られたものであり、全体形状は、略「コ」の字状である。
即ち取付け板部材７は、平面部２５を持ち、その両端が垂直に折り曲げられて直立するものである。そして当該両側の折り曲げ部分は、ピン支持部３７，３８として機能する。即ち取付け板部材７は、平面部２５と、二列平行に設けられたピン支持部３７，３８を備えている。
そしてピン支持部３７，３８にはそれぞれ２個づつ貫通孔４０，４１，４２，４３が設けられている。
【００１５】
また取付け板部材７の平面部２５には大きな貫通孔５０が設けられている。貫通孔５０の形状は、二箇所に切り欠き部５１，５２が設けられた円形である。
貫通孔５０の円形部分の大きさは、シリンダー３の外径よりも僅かに大きい。また切り欠き部５１，５２の大きさは、シリンダー３に設けられた突起２１，２２，２３，２４よりも僅かに大きい。従ってシリンダー３に設けられた突起２１，２２，２３，２４は、貫通孔５０の切り欠き部５１，５２を通過することができる。
【００１６】
外側化粧座部材５は、図２の様に周縁部に周壁６０，６１を有し、断面形状が略「コ」の字状である。
ピン８は、図２の様に「Ｕ」字状であり、二本の平行棒部６５，６６と、接続部６７を持つ。
【００１７】
次に、シリンダー３と外側化粧座部材５及び取付け板部材７との関係について説明する。
シリンダー３は、その後端部が図３の様に取付け板部材７の平面部２５の貫通孔５０に挿通されている。そしてシリンダー３の突起２１，２２の間の溝３０及び突起２３，２４の間の溝３１に貫通孔５０の開口縁が係合している。
即ちシリンダー３は、４個の突起２１，２２，２３，２４の組の内、一方の突起の組が天方向に位置し、他方の組が地方向に位置している。そして各組の突起同士の間で貫通孔５０の開口縁を挟んでいる。
【００１８】
なお、シリンダー３の貫通孔５０への装着は、貫通孔５０の切り欠き部５１，５２の位置にシリンダー３の突起２１，２２，２３，２４が合致する姿勢にシリンダー３を保持してシリンダー３の最後端の突起２２，２４を貫通孔５０に通過させ、溝３０，３１が平面部２５と合致した時にシリンダー３を９０度回転することにより行う。
【００１９】
そして取付け板部材７のピン支持部３７，３８の外側からピン８が挿通され、さらにピン支持部３７，３８の貫通孔４０，４１，４２，４３と、シリンダー３の突起２１，２３に形成された貫通孔３５，３６に挿通されている。
より具体的には、ピン８の一方の平行棒部６５が、一方のピン支持部３７の貫通孔４０、シリンダー３の貫通孔３５、及び他方のピン支持部３８の貫通孔４２に挿通されている。同様にピン８の他方の平行棒部６６が、一方のピン支持部３７の貫通孔４１、シリンダー３の貫通孔３６、及び他方の支持部３８の貫通孔４３に挿通されている。
【００２０】
そして取付け板部材７は、外側化粧座部材５の内側に装着されている。即ち取付け板部材７と外側化粧座部材５は前記した様にいずれも断面形状が略「コ」の字状をしており、両者が向き合う方向に配置されて取付け板部材７が外側化粧座部材５の内側に装着されている。従って、図４の様に、取付け板部材７のピン支持部３７，３８の外側に、外側化粧座部材５の周壁６０，６１があり、ピン８の平行棒部６５，６６の先端と、接続部６７の大部分が外側化粧座部材５の周壁６０，６１の内側と当接する。従ってピン８は、外側化粧座部材５によって抜け止めがなされ、脱落しない。なお取付け板部材７は、図示しないネジによって外側化粧座部材５に固定されている。
またシリンダー３の先端部は、外側化粧座部材５に設けられた貫通孔６２と係合する。      
【００２１】
従って本実施形態によると、シリンダー３は、貫通孔３５，３６と、溝３０，３１、後端部、及び先端部が門扉錠本体と接し、強固に取り付けられている。
以上説明した実施形態では、「Ｕ」字状のピンを使用したが、直線状のピンを二本使用しても同様の効果がある。
【図面の簡単な説明】
【００２２】
【図１】本発明の門扉錠本体とシリンダーとの取付け構造を採用した門扉錠の斜視図である。
【図２】図１の門扉錠の外側化粧座部材と、取付け板部材と、シリンダー及びピンの位置関係を示す分解斜視図である。
【図３】図１の門扉錠の取付け板部材と、シリンダー及びピンの組み合わせ部位における側面断面図である。
【図４】図１の門扉錠の外側化粧座部材と、取付け板部材と、シリンダー及びピンの組み合わせ部位における正面断面図である。
【符号の説明】
【００２３】
１  門扉錠
２  錠本体
３  シリンダー
５  外側化粧座部材
７  取付け板部材
８  ピン
２０  本体部
２１，２２，２３，２４  突起
２５  平面部
３０，３１  溝
３５，３６  貫通孔
３７，３８  ピン支持部
４０，４１，４２，４３  貫通孔
５０  貫通孔
５１，５２  切り欠き部
【図１】
2006291486.tif 000003
【図２】
2006291486.tif 000004
【図３】
2006291486.tif 000005
【図４】
2006291486.tif 000006